(57)【要約】【課題】  大梁と小梁との接合部を納まりよく形成し、外観上の不信感や不安感を解消するとともに、木材の過剰使用を回避し施工費の低減を図る。【解決手段】  本発明の大梁と小梁の接合部構造は、適宜の梁受金物を用いて大梁１と小梁３との接合部において、大梁１の側面に結合する小梁３の下端３１が、大梁１の下端１１よりも下方に配設されるときに、小梁３の下端３１と小梁３の小口面３２とがなす隅角を、小梁３の下端３１に対して４５°の角度をなすように斜めに切断したことを特徴とする。【選択図】  図１
2006328646.tif 000002
【特許請求の範囲】
【請求項１】
梁受金物を用いて大梁と小梁とが接合される接合部において、大梁の側面に結合する小梁の下端が大梁の下端よりも下方に配設されるときに、小梁の小口面と小梁の下端とがなす隅角を大梁の下端に合わせて斜めに切断したことを特徴とする大梁と小梁の接合部構造。
【請求項２】
切断面は小梁の下端に対して４５°の角度をなすように切断されることを特徴とする請求項１に記載の大梁と小梁の接合部構造。
【発明の詳細な説明】
【技術分野】
【０００１】
本発明は、梁受金物を用いて接合される大梁と小梁の接合部構造に関する。
【背景技術】
【０００２】
木造建築の基本的な構法種別としては、いわゆる在来軸組構法、枠組壁構法、丸太組構法などがある。これらの構法では、大梁と小梁の接合部は部材を切削加工して蟻掛けなどによって結合されたり、接合金物で梁端部を支え、接合金物と梁とを多数の釘で固定したりして仕口が形成されていた。
【０００３】
また近年では、住宅をはじめとする比較的小規模な木造建築において、接合部を接合金物で接続する構法も採用されるようになってきており、例えば、特許文献１、２等に記載されているような接合部構造が提案されている。
【０００４】
この種の接合部構造は、上面視コ字形もしくはＵ字形の梁受金物を使用し、この梁受金物を大梁の側面へ数本のボルトで固定するとともに、大梁の側面に張り出した梁受金物の一対の側板を、小梁に形成した一対のスリットへ挿入して、小梁の側面にドリフトピンを挿通し、大梁と小梁とを接合するように構成されている。かかる接合部構造では、大梁と小梁の接合部に従来の仕口部のような複雑な加工や組み立てが不要になり、施工に要する手間やコストを軽減することができ、現場での施工時間も短縮することができる。加えて、接合部に大きな剪断力を負担させることができるので、一般的な在来軸組構法に比して強度に優れ、高い強度を有する接合部を形成することが可能になるという利点があった。
【特許文献１】特開平８−３１２００６号公報
【特許文献２】特開２００２−３５６９１７号公報
【発明の開示】
【発明が解決しようとする課題】
【０００５】
上記のような接合部構造を採用した場合、床梁や軒桁等の梁の配置形態によっては、大梁の梁せいが小梁の梁せいよりも小さくとも構造要件を満たすことがある。
【０００６】
例えば、桁行方向の大梁には複数の小梁が梁間方向に接合され、スパン割が小さく配設される。通常、床に加わる分布荷重は、その周囲にある大梁や小梁に分配されるが、前記のようなスパン割の場合には、小梁が梁間方向に広く床荷重を負担し、大梁よりも大きい荷重を負担する必要が生じることがある。すなわち、大梁の負担する荷重が小梁よりも小さくて済み、その結果、大梁の梁せいを小梁の梁せいよりも小さくすることが可能になっている。
【０００７】
しかし、このように接合部における構造要件を満たしていても、大梁の梁せいを小梁の梁せいよりも小さくすると、小梁の小口面が大梁の側面から下方へはみ出すことになるので施工不良のようにも見え、かかる接合部を施工中に見る機会があったり、内装にあらわし仕上げとしたりすると、居住者に不安感や不信感を与えてしまうおそれがあった。そのため、このような接合部においては、大梁の梁せいを、構造耐力上は不要であっても、必要以上に大きくして、小梁の梁せいに揃えるような工夫をしなければならなかった。そうすると、大梁の梁せいを大きくする分だけ、梁材を余計に使用することになって、木材の過剰使用やコスト高につながるという問題点があった。
【０００８】
そこで本発明は、上記のような問題点にかんがみてなされたものであり、接合強度を損なうことなく、外観から招くおそれのある居住者の不信感や不安感を解消し、木材の過剰使用を回避し材料費の低減を図ることのできる大梁と小梁の接合部構造を提供するものである。
【課題を解決するための手段】
【０００９】
上記した目的を達成するため、本発明に係る大梁と小梁の接合部構造は、梁受金物を用いて大梁と小梁とが接合される接合部において、大梁の側面に結合する小梁の下端が大梁の下端よりも下方に配設されるときに、小梁の小口面と小梁の下端とがなす隅角を大梁の下端に合わせて斜めに切断したことを特徴とする。
【００１０】
ここで大梁は、柱と柱の間に架け渡して、これらの柱に直接結合されている構造上主要な骨組みをいい、小梁は床板や根太などを支えて荷重を大梁に伝達する、柱と直接連結されていない部材をいう。通常、大梁は小梁よりも大きい断面を有するものとなるが、本発明においては、大梁の断面が小梁断面よりも小さくなるようなケースについて、好適に実施されるものである。
【００１１】
このような発明によれば、小梁の小口面の下端が大梁の下端に揃えられるので、接合部の強度に影響を与えることなく、納まりよく接合部を形成することができる。したがって、木材の過剰使用を避けることができ、合理的な梁断面設計を行うことができる。
【００１２】
また、本発明は上記構成の接合部構造において、小梁端部の切断面が、小梁の下端に対して４５°の角度をなすように切断されることが好ましく、これにより、材端を切断加工しやすくでき、また構造強度を損なうこともなく、接合部を見栄えよく形成することができる。
【発明の効果】
【００１３】
上述のように構成される本発明の大梁と小梁の接合部構造によれば、木材の過剰使用や、それによるコスト高を回避することができ、施工不良と誤解されない外観を形成し、不信感や不安感を招くことなく、合理的な梁断面設計を可能にすることができる。
【発明を実施するための最良の形態】
【００１４】
以下、本発明に係る大梁と小梁の接合部構造を実施するための最良の形態について、図面を参照しつつ説明する。
【００１５】
本発明に係る大梁と小梁の接合部構造は、例えば強度計算上ラーメン構造として扱いうるような構造躯体などにおいて、構造耐力上、大梁の断面が小梁の断面よりも小さくすることが可能なケースに好適に実施できる構造であり、例えば中断面又は小断面集成材の単材によって構成されている。
【００１６】
図１は本発明の接合部構造の一例を示す斜視図である。大梁１は、通し柱２にその端部が接合されており、この大梁１の側面に小梁３の小口面３２が接合されている。例示の形態において、小梁３の梁せいは大梁１の梁せいよりも大きいものとなっている。すなわち、かかる大梁１と小梁３との接合部では、小梁３の下端３１は大梁１の下端１１よりも下方に配設されることになる。
【００１７】
そこで、かかる形態となる接合部では、小梁３の下端３１と小梁３の小口面３２とがなす隅角３３を斜めに切断して、傾斜面３４を形成する。これによって、小梁３の小口面３２は小さくなり、小口面３２の下辺３２１が大梁１の下端１１に揃えられる。
【００１８】
このような接合部構造において、小梁３が負担する床荷重によって小梁３に生じる曲げ応力は小梁３の中央部で最大となっている。したがって、小梁３の端部に傾斜面３４を形成しても構造耐力に影響を与えることがなく、その強度を損なうことがない。
【００１９】
また、このような大梁１と小梁３との接合部に傾斜面３４を設けたことで、大梁１よりも梁せいの大きい小梁３の小口面３２が、大梁１の側面から下方へはみ出すのを避けることができ、納まりのよい外観を形成することができる。これにより、居住者に不信感や不安感を与えずに済み、この結果、木材を過剰使用することで材料費が増加するのを防ぐことができる。
【実施例】
【００２０】
図２〜図５は本発明に係る大梁と小梁の接合部構造の実施例を示し、図２は床梁における接合部を一部破断して示す縦断面図、図３は図２の横断面図である。また、図４は軒桁における接合部を一部破断して示す縦断面図、図５は図４の分解斜視図である。
【００２１】
なお、各断面図においては図面を見やすくするために、ドリフトピンやボルト等の構成部材には断面を示すハッチングを省略して記載している。
【００２２】
大梁１に小梁３を接合するには、例示するような梁受金物４が使用されている。この種の梁受金物４は、背板４１と、背板４１に直交する一対の側板４２とが上面視略コ字形に形成されている。背板４１は大梁１の側面に当てがわれ、ボルト４５により固定されている。また、小梁３の端部には、平行に一対のスリット３５が形成されており、大梁１の側面に張り出した側板４２がこれらのスリット３５に挿入されている。そして、小梁３の側面から嵌入される複数本ドリフトピン４４およびボルト４５によって、梁受金物４と小梁３とが緊結されている。
【００２３】
図２，３に示すような床梁の接合部において、小梁３の梁せいが大梁１の梁せいより大きくなるような場合には、大梁１の下端１１に合わせて小梁３の隅角を切断し、大梁１の梁せいに小梁３の小口面３２が納まるようになされる。切断して形成される傾斜面３４は、小梁３の下端３１に対して４５°の角度をなすように設けられるのが好ましい。すなわち、大梁１と小梁３の梁せいの差ａと、水平方向の切断長さｂとが等しくなるように切断されることが好ましい。このように傾斜面３４の角度を４５°とすることにより、構造強度を損なうことなく、簡単に加工でき、見た目に納まりよく形成することができる。またこのように４５°の傾斜面３４であれば、天井仕上げを折り上げ天井とした場合に傾斜面３４が露出せず、見栄えよく形成することができる。
【００２４】
また、図４，５に示すように、軒桁の接合部において小梁３の梁せいが大梁１の梁せいよりも大きく、小梁３の天端３６が大梁１の天端１２よりも上方に配設されている場合にも、上記と同様に、大梁１の下端１１に合わせて小梁３の隅角を切断して、小梁３の小口面３２の下端を大梁１の下端１１に揃えるようにする。傾斜面３４は小梁３の下端３１に対して４５°の角度をなすように形成されている。
【００２５】
このように小梁３を切断することにより、いずれの接合部においても、施工不良と誤解されない外観を形成することができ、居住者の不信感や不安感を招くことなく、合理的な梁断面設計を可能にすることができる。
【００２６】
なお、本発明に係る接合部構造はこれらの実施例に示すような形状の梁受金物４を用いて接合された接合部だけに限定されず、大梁よりも小梁の方が梁せいが大きい接合部であればどのような接合部においても好適に実施することができる。また形成する傾斜面３４の角度は４５°に限らず、接合部強度を損なわないように切断できれば、どのような角度であってもよい。
【産業上の利用可能性】
【００２７】
構造的に主となる大梁に従となる小梁が接合される接合部において、小梁の梁せいが大梁よりも大きいことからくる居住者の不安感や不信感を解消して、合理的な梁断面設計を可能としうる木造建築の接合部構造として利用することができる。
【図面の簡単な説明】
【００２８】
【図１】本発明に係る大梁と小梁の接合部構造を示す斜視図である。
【図２】本発明の接合部構造の一実施例であり、接合部を一部破断して示す縦断面図である。
【図３】図２の横断面図である。
【図４】本発明に係る大梁と小梁の接合部構造の他の実施例であり接合部を一部破断して示す縦断面図である。
【図５】図４の分解斜視図である。
【符号の説明】
【００２９】
１    大梁
１１  下端（大梁）
２    通し柱
３    小梁
３１  下端（小梁）
３２  小口面
３３  隅角
３４  傾斜面
４    梁受金物
４１  背板
４２  側板
【図１】
2006328646.tif 000003
【図２】
2006328646.tif 000004
【図３】
2006328646.tif 000005
【図４】
2006328646.tif 000006
【図５】
2006328646.tif 000007